(57)【要約】【課題】棚を支柱に片持ち的に支持させるものであっても十分な支持強度を付与して安定した取付状態を確保することができるラックを提供する。【解決手段】左右の柱構造体Ｋの間を横架材３を介して連結し、柱構造体Ｋを構成する支柱１にフック孔１ａを設け、そのフック孔１ａを利用して物品積載面を有する拡張棚５を支柱１に片持ち的に支持させるラックにおいて、支柱１の前壁１１に設けられたフック孔１ａに拡張棚５の一部に形成されたフック５１ｆを係わり合わせるとともに、フック孔１ａから変位した位置において支柱１の一部に拡張棚５の一部を係わり合わせて拡張棚５を支柱１に支持させた。【選択図】図８
2004008499.tif 000002
【特許請求の範囲】
【請求項１】
左右の柱構造体の間を横架材を介して連結し、柱構造体を構成する支柱にフック孔を設け、そのフック孔を利用して物品積載面を有する棚を支柱に片持ち的に支持させるラックであって、
支柱の前壁に設けられたフック孔に棚の一部に形成されたフックを係わり合わせるとともに、フック孔から変位した位置において支柱の一部に棚の一部を係わり合わせて棚を支柱に支持させていることを特徴とするラック。
【請求項２】
フック孔から水平方向に変位した位置において支柱の一部に棚の一部を係わり合わせていることを特徴とする請求項１記載のラック。
【請求項３】
フック孔から変位した位置に凹部を設け、その凹部に棚の一部を係わり合わせていることを特徴とする請求項１又は２記載のラック。
【請求項４】
凹部が、支柱の内部に斜め方向に形成された溝であり、その溝に棚を支柱の側壁側から固定する固定部材に設けた突出部を挿入させて係わり合わせていることを特徴とする請求項３記載のラック。
【請求項５】
固定部材の一部に設けたねじ要素のネジ作用により、固定部材の一部を支柱の側壁に押し当てるとともに、溝と突出部との係わり合いを深めるようにしていることを特徴とする請求項４記載のラック。
【請求項６】
フックが、棚の後端の上下２カ所に所定距離離間して形成され、各フックを前記フック孔に係わり合わせていることを特徴とする請求項１、２、３、４又は５記載のラック。
【請求項７】
棚が物品積載面積を拡張する拡張棚であることを特徴とする請求項１、２、３、４、５又は６記載のラック。
【請求項８】
机等の天板上に積載される卓上タイプのものであることを特徴とする請求項１、２、３、４、５、６又は７記載のラック。
【発明の詳細な説明】
【０００１】
【発明の属する技術分野】
本発明は、支柱に片持ち的に支持される拡張棚に適度な取付強度を付与し得るようにしたラックに関するものである。
【０００２】
【従来の技術】
例えば、パーソナルコンピュータ（ＰＣ）本体等を机等の天板上に載せて使用する場合、作業性を向上させるとともに天板上の有効使用面積を確保するために、ラックを利用してその棚にプリンタやスキャナ等のＰＣ周辺機器、ファイル等を配置することは周知のことである。
【０００３】
【発明が解決しようとする課題】
しかしながら、このようなラックは、棚を左右の支柱に両持ち的に支持させるものであるため、左右の支柱間の幅寸法によって、支柱に取り付けられる棚の幅寸法が決められ、物品積載面として機能する面積がある程度規制されるものである。一方、支柱の外方側に物品積載面を拡張させる棚を取り付けることも考えられるが、その場合、棚は支柱に片持ち的に支持しなければならないため、両持ち的に支持される棚と比較して支持強度及び取付強度を損ない、使用時にガタつきを招く等好適に使用することが極めて困難である。このような不具合が生じ得るため、棚を支柱に片持ち的に支持させる構造を有するラックは実用性に乏しく採用されていないのが現状である。
【０００４】
本発明は、以上のような問題に鑑みて、棚を支柱に片持ち的に支持させるものであっても十分な支持強度を付与して安定した取付状態を確保することができるラックを提供することを目的としている。
【０００５】
【課題を解決するための手段】
本発明は、かかる目的を達成するために、次のような構成を採用したものである。
【０００６】
すなわち、本発明に係るラックは、左右の柱構造体の間を横架材を介して連結し、柱構造体を構成する支柱にフック孔を設け、そのフック孔を利用して棚を支柱に片持ち的に支持させるものであって、支柱の前壁に設けられたフック孔に棚の一部に形成されたフックを係わり合わせるとともに、フック孔から変位した位置において支柱の一部に棚の一部と係わり合わせて棚を支柱に支持させていることを特徴とする。
【０００７】
このようなものであれば、支柱と棚とを異なる２点でそれぞれを相互に係わり合わせているため、棚を支柱に片持ち的に支持させる構造であっても、適切な支持強度及び取付強度を確保することができ、取付時や使用時にガタつきを引き起こすことなく、好適に使用することが可能となる。
【０００８】
このような構成において、フック孔から水平方向に変位する位置において支柱の一部に棚の一部を係わり合わせるようにすると、フック孔とフックとの鉛直方向の係わり合いに対して、他の係わり合いを水平方向としているため、棚を支柱に取り付けた状態において棚が支柱に対して水平方向へ首振りすることを効果的に抑制することができる。加えて、棚の上面に物品を載せた場合に相互の係わり合いが協働して棚の上方から下向きに作用する力を分散させることができ、巾方向及び前後方向のガタつきを防止し、支持強度を向上させて安定した取付状態を確保することができる。
【０００９】
水平方向の係わり合いを簡素な構造で実現する一例としては、フック孔から変位した位置に凹部を備え、その凹部に棚の一部を係わり合わせているものが挙げられる。
【００１０】
より具体的な構成としては、凹部が支柱の内部に斜め方向に形成された溝であり、その溝に棚を支柱の側壁側から固定する固定部材に設けた突出部を挿入させて係わり合わせているものが望ましい。このようなものであると、水平方向の係わり合いを確実なものとすることができるとともに、溝に突出部を係わり合わせる際に、突出部が斜め方向に形成された溝に挿入して棚の支柱に対する位置決めを簡単かつ的確に行うことができ、取付作業をスムーズに行うことができる。また、突出部が支柱の側壁に対して垂直に突出しているものであれば、突出部の斜め方向に形成された溝への挿入度合を深めるに伴って突出部の溝内における挙動し得る有効開口面積が小さくなるため、両者の係わり合いをより簡便に行うことができる。
【００１１】
棚と支柱とを緊密に固定するためには、固定部材の一部に設けたネジ要素のネジ作用により、固定部材の一部を支柱の側壁に押し当てるとともに、溝と突出部との係わり合いを深めるようにすればよい。
【００１２】
また、フックを棚の後端の上下２カ所に所定距離離間して形成し、各フックを前記フック孔に係わり合わせれば、各フックが協働してフック孔に係わり合うため、支柱に取り付けられる棚に十分な取付強度を持たせることが可能となる。
【００１３】
このような構成において、棚が拡張棚である場合には、物品積載面として機能する棚面積を有効に拡張することができ、好適に使用できる。
【００１４】
また、机等の天板上に積載される卓上タイプのものであれば、様々な使用態様に対応し得ることができより実用性のあるものとなる。
【００１５】
【発明の実施の形態】
以下、本発明の一実施形態を、図面を参照して説明する。
【００１６】
この実施例のラックは、図１〜図４に示すように、例えば机等の天板Ｔ上に配置されるものであって、左右対をなす柱構造体Ｋを横架材３を介して相互に自立可能に連結され、柱構造体Ｋの一部に設けたフック孔１ａ等を利用して必要に応じて棚４又は拡張棚５を取り付けることができるように構成されている。
【００１７】
柱構造体Ｋは、前壁１１に複数のフック孔１ａを開口させてなる中空体状の支柱１と、この支柱１の下端部より前方に向けて延びるベース２とからなるものである。
【００１８】
詳述すると、支柱１は、図５に拡大断面図で図示するように、アルミ素材を押し出し成形することにより後壁側を対となる傾斜壁１３から形成する平断面視略五角形状の中空剛体として構成されたものであり、前壁１１に支柱１の上端から下端に亘る２列の第１のスリット１４を、左右の側壁１２に支柱１の上端から下端に亘る本発明の溝たる第２のスリット１５を形成してなるものである。前記第１のスリット１４の奥方の空間１４Ｓ内には後述するフック４１ｆ、５１ｆを挿入し得るフック孔１ａを縦方向に所定間隔離間して複数設けた平面視Ｌ字状の取付金具１Ａを備えている。この取付金具１Ａを前壁１１の裏面及び側壁１２の裏面に当接又は近接するように前記空間１４Ｓの内部に嵌め入れた状態において、フック孔１ａが前記第１のスリット１４を介して支柱１の前壁１１側に開放されている。また、第２のスリット１５は、後述する固定部材６の突出部６３を挿入させて嵌め合わせるものであり、前記フック孔１ａから略水平方向に変位した位置に形成され、一定の開口幅をもって支柱１内において前壁１１側へ向かって斜め向きに設けてある。後壁を形成する一対の傾斜壁１３にはそれぞれ第３のスリット１６を形成し、この第３のスリット１６の奥方にネジ孔１ｂを有する台座１Ｂを配置している。なお、支柱１の上方の開口端には着脱可能なキャップ１７が装着されて外観の向上を図っている。
【００１９】
ベース２は、スチール製のものであり、このベース２の後壁側の一部を部分的に支柱１の中空部内に嵌め合わせて装着し、その位置で支柱１に設けた図示しない固定ナット部にベース２の肉厚内を貫通したネジをそれぞれネジ止めして、ベース２及び支柱１を相互に強連結している。ベース２の先端部及び後端部の背面には机の天板Ｔに接地する位置にそれぞれ接地体２１を取り付けてある。
【００２０】
横架材３は、図６に示すように、板金素材等の対向する上下の２辺をそれぞれ２段階に折り曲げ加工して、前面３１の上端から下向きＬ字形に、前面の下端から上向きＬ字形に形成したものであり、左右の両端に前記支柱１の傾斜壁１３に対応する角度をなして延びる横壁３２を一体に設けてある。また、横壁３２には、前記傾斜壁１３内に設けた台座１Ｂのネジ孔１ｂと一致する位置に長孔３２ｂを上下に２つ形成している。なお、下端側のＬ字形の部材３３は配線コード（図示省略）を収容するスペースとして利用することができる。
【００２１】
また、棚４は、左右の支持部材４１に上面を物品積載面として機能する棚板部材４２を横架して構成され、支持部材４１と棚板部材４２とを溶接継手を介して一体的に剛結したものである。支持部材４１は、板金素材の対向２辺を折り曲げて頂板の両側に側板４１ａを形成してなり、外方側の側板４１ａの厚み寸法を長手方向略中間部から後端部の領域に亘って漸次大きくなるように形成するとともにその後端縁に前記フック孔１ａに係わり合うフック４１ｆを設けている。このフック４１ｆは、側板４１ａの後端縁から一体に後方に延ばした基端部と、この基端部の先端から下方に向けて一体に延ばした爪部とを備えたものであり、このようなフック４１ｆが外方側の各側板４１ａに上下２つずつ設けてある。また、棚板部材４２には、左右の後端に棚４を支柱１に取り付けた場合に前記支柱１の前壁１１及び側壁１２に嵌合し得る切欠部をそれぞれ形成し、後端側の底面に図示しない下向き略コ字形の補強部材を溶接継手を介して一体に取り付けている。このような形状とすることによって構造的強度や、積載可能重量の向上をそれ自身が簡素でありながら実現できるように構成されている。
【００２２】
次に、横架材３及び棚４を支柱１に取り付ける方法について説明する。
【００２３】
まず、横架材３を支柱１に取り付けるには、図６に矢印で示すように、左右の支柱１の傾斜壁１３に横架材４の横壁３２を衝き当て、横壁３２に設けた長孔３２ｂが台座１Ｂに設けたネジ孔１ｂと一致するように横壁３２を位置決めする。そしてネジＮを支柱１の斜め後方から長孔３２ｂ及びネジ孔１ｂにネジこむことにより、この横壁３２を傾斜壁１３と圧接させて、横架材３を支柱１に強く接合することができる。このようにして、本実施例では支柱１の上端部及び下端部にそれぞれ横架材３を取り付けている。
【００２４】
また、棚４を支柱１に取り付けるには、左右の支持部材４１の側板４１ａに設けたフック４１ｆを支柱１の前壁１１に２列に形成した第１のスリット１４のうち内方側の前記スリットを介して開放されているフック孔１ａにそれぞれ挿入し得る位置に棚４を支柱１の前壁１１側に持ち来し、フック４１ｆをフック孔１ａに挿入するとフック４１ｆの基端部の下向き面がフック孔１ａを形成する上向き面に当たり、なおかつ、爪部の内向き面が取付金具１Ａの裏面に当たることにより、フック４１ｆとフック孔１ａが相互に緊密に係わり合って棚４を左右の支柱１に支持させることができる。この場合、同時に、棚板部材４２の切欠部を支柱１の前壁１１及び側壁１２に嵌め合わせせることができるため、棚４の支柱１に対する位置決めを的確に行うことができ、取付作業を簡便なものとすることが可能となる。
【００２５】
以上の構成からなるものにおいて、本実施形態は、物品積載面を拡張する拡張棚５を支柱１に片持ち的に取り付けるものである。
【００２６】
拡張棚５は、左右の支持部材５１に上面を物品積載面として機能する拡張棚板部材５２を横架し溶接継手を介して剛結したものであって、後述する固定部材６等を用いて支柱１に取り付けられるものである。一方の支持部材５１は板金素材等の対向する２辺を折り曲げ加工して下向きコ字形としたものであり、他方の支持部材５１は下向き略コ字形をなし外方側の側板５１ａの後端に前記棚４の側板４１ａの後端に設けたフック４１ｆとほぼ同形状のフック５１ｆを上下に２つずつ設けてある。拡張棚板部材５２は、前記フック５１ｆを設けた支持部材５１に支持される側の後端に前記支柱１の前壁１１及び側壁１２の形状に対応する切欠部を形成している。また、拡張棚板部材５２の後端側の底面に、左右の支持部材５１間の部位に亘り板金素材の対向２辺を折り曲げて前板５３ａ、基板５３ｂ及び後板５３ｃとを一体に形成した長手方向下向き略コ字形の補強部材５３を溶接等して一体に取り付けてある。補強部材５３は、基板５３ｂ及び後板５３ｃより長手方向に長く形成した前板５３ａの側端を前記フック５１ｆを設けた側板５１ａに当てるように取り付けられたものであり、基板５３ｂの一側端から後述する固定部材６の第１の押当面６１に押し当てられる横板５３ｄを一体に突出して設けている。また、横板５３ｄの所定箇所にはネジ孔５３ｅを形成し、後板５３ｃと横板５３ｄとが交叉し得る位置に後述する固定部材６の突出部６３が通過し得る挿入開口部５３ｇを有している。
【００２７】
固定部材６は、図７に示するように、前記横板５３ｄを押し当てる第１の押当面６１と、第１の押当面６１の一端から連続してＬ字形に屈曲して支柱１の側壁１２を押し当てる第２の押当面６２と、第１の押当面６１の一端から第２の押当面６２に向かって延び第２の押当面６２を通過する位置から前記支柱１の第２のスリット１５に挿入し得る所定の角度をなして延びる突出部６３とを備えたものである。第１の押当面６１の所定箇所には前記横板５３ｄに設けたネジ孔５３ｅに対応し得る長孔６１ａを設けている。
【００２８】
このような拡張棚５を支柱１に取り付けるには、先ず、支持部材５１に設けたフック５１ｆを、支柱１の前壁１１に２列に形成した第１のスリット１４のうち外方側のスリットを介して開放しているフック孔１ａに挿入する。そして、前記と同様にフック５１ｆをフック孔１ａに係わり合わせることによって、拡張棚５を左右何れかの支柱１に片持ち的に支持させることができる。この場合、拡張棚板部材５２の切欠部が支柱の前壁１１及び側壁１２に嵌合され、拡張棚５の支柱１に対する位置決めを予め行うことができる。次に、固定部材６を図７に示す矢印の方向に略９０°回転させて突出部６３を拡張棚５の補強部材５３に形成した挿入開口部５３ｇに挿入し、引き続きその突出部６３を支柱１の側壁１２に形成した第２のスリット１５内に挿入する。そして、図８に図示するように、固定部材６の第１の押当面６１と補強部材５３の横板５３ｄが当接するとともに、第１の押当面６１に設けた長孔６１ａと拡張棚５の補強部材５３の横板５３ｄに設けたネジ孔５３ｅとが略同一軸線上に連続することとなり、固定部材６の側方から第１の押当面６１に設けた長孔６１ａを介してねじ要素たるボルト部材Ｖを挿入し、その下端部分Ｖ１を長孔６１ａを貫通してネジ孔５３ｅに緊締することによって、支柱１と拡張棚５を固定部材６を介して強連結し、支柱１に対する拡張棚５の取付を完了することができる。
【００２９】
このように、本実施形態では、支柱１の前壁１１に設けた第１のスリット１４を介して開放させたフック孔１ｃに拡張棚５の一部に形成したフック５１ｆを係わり合わせるとともに、フック孔１ａから変位した位置において支柱１の一部に拡張棚５の一部を係わり合わせて拡張棚５を支柱１に異なる２点で支持させているため、拡張棚５を支柱１に取り付けた状態において拡張棚５が支柱１に対して水平方向へ首振りすることを効果的に抑制することができるとともに、適切な支持強度及び取付強度を確保することができ、取付時や使用時に拡張棚５と支柱１との間にガタつきを引き起こすことなく、好適に使用することが可能となる。
【００３０】
特に、フック孔１ａから水平方向に変位する位置において支柱１の一部に拡張棚５の一部を係わり合わせるようにしているため、フック孔１ａとフック５１ｆとの係わり合いが鉛直方向であるのに対して、他方の係わり合いを水平方向としているため、拡張棚５の拡張棚板部材５２の上面に物品を載せた場合に相互の係わり合いが協働して拡張棚５の上方から下向きにかかる力を分散させることができ、巾方向及び前後方向のガタつきを防止し、支持強度を向上させて安定した取付状態を確保することができる。
【００３１】
また、フック孔から変位した位置に凹部（溝）である第２のスリット１５を備え、その第２のスリット１５に拡張棚５の一部を係わり合わせるようにしているので、水平方向の係わり合いを簡素な構造で行うことができる。
【００３２】
さらに、第２のスリット１５を支柱１の内部に斜め方向に形成し、第２のスリット１５に拡張棚５を支柱１の側壁１２側から固定する固定部材６に設けた突出部６３を挿入させて係わり合わせているので、水平方向の係わり合いを容易にかつ確実に行うことができるとともに、第２のスリット１５に突出部６３を係わり合わせる際に、突出部６３が第２のスリット１５に挿入して拡張棚５の支柱１に対する位置決めを簡単かつ的確に行うことができ、取付作業をスムーズに行うことが可能になる。
【００３３】
また、固定部材６の第１の押当面６１に設けた長孔６１ａにボルト部材Ｖを貫通させ引き続き補強部材５３の横板５３ｄに形成したネジ孔５３ｅにネジ込むことによって、固定部材６の一部を支柱１の側壁１２に押し当てるとともに、第２のスリット１５と突出部６３との係わり合いを深めるようにしているため、固定部材６を介して拡張棚５と支柱１とを緊密に固定することができ、加えて、フック５１ｆを拡張棚５の後端の上下２カ所に所定距離離間して形成し、各フック５１ｆを前記フック孔１ａに係わり合わせれば、各フック５１ｆが協働してフック孔１ａに係わり合うため、支柱１に取り付けられる拡張棚５に十分な取付強度を持たせることが可能となる。
【００３４】
なお、本発明は、以上に詳述した実施形態に限られるものではない。
【００３５】
例えば、固定部材の突出部が、所定の角度をもって傾斜することなく支柱の側壁に対して垂直に突出したものであれば、突出部の斜め方向に形成された第２のスリットへの挿入度合を深めるに伴って突出部の第２のスリット内における挙動し得る有効開口面積が小さくなるため、両者の係わり合いをより容易かつ的確に行うことができる。
【００３６】
また、本実施形態では片側２個ずつのフックで、棚を支柱のフック孔に係り合わせて取り付ける構成としたが、これに限らず、例えば取付強度を上げるためフックの個数を増やしたり、フック自体を大きくしたりする等しても構わない。無論、支柱の高さ、棚の幅や奥行寸法等も自由に設計できることはいうまでもない。
【００３７】
また、複数の支柱を所定間隔で配置し、相隣接する支柱の内法同士の第１のスリットに棚を支持させて物品載置面を拡張することもできる。また支柱間にバックパネルを取り付けても構わない。
【００３８】
その他、各部の具体的構成についても上記実施形態に限られるものではなく、本発明の趣旨を逸脱しない範囲で種々変形が可能である。
【００３９】
【発明の効果】
以上説明したように本発明によれば、棚を支柱に片持ち的に支持されるものであっても十分な支持強度を付与して安定した取付状態を確保することができ、実際の取付においても簡単かつ自由なレイアウトに対応できるラックを提供することができる。
【図面の簡単な説明】
【図１】本発明の一実施形態に係るラックを机等の天板上に載置した模式的な全体斜視図。
【図２】同実施形態に係るラックの正面図。
【図３】同平面図。
【図４】同側面図。
【図５】図２における一部省略したＡ−Ａ線平断面図。
【図６】同図におけるＡ−Ａ線近傍の拡大分解斜視図。
【図７】同図におけるＰ方向から固定部材取付部分を斜め前方から見た拡大斜視図。
【図８】同図におけるＰ方向から固定部材取付部分を斜め前方から見た拡大斜視図。
【図９】同図における模式的なＢ−Ｂ線平断面図。
【符号の説明】
１・・・支柱
１１・・・前壁
１２・・・側壁
１ａ・・・フック孔
１５・・・第２のスリット（凹部（溝））
３・・・横架材
５・・・拡張棚
５１ｆ・・・フック
６・・・固定部材
６３・・・突出部
Ｖ・・・ボルト部材（ネジ要素）
【図１】
2004008499.tif 000003
【図２】
2004008499.tif 000004
【図３】
2004008499.tif 000005
【図４】
2004008499.tif 000006
【図５】
2004008499.tif 000007
【図６】
2004008499.tif 000008
【図７】
2004008499.tif 000009
【図８】
2004008499.tif 000010
【図９】
2004008499.tif 000011